(57)【要約】【課題】コンクリート基礎を強固に補強できると共に、補強金具施工後に作業用穴部を利用したい際には、この作業用穴部を塞ぐように配される架設体を取り外すことも可能な基礎補強金具を提供すること。【解決手段】建築物の床下工事を行うためにコンクリート基礎１に貫通形成された作業用穴部２の左右の前記コンクリート基礎１表面に止着固定する左右一組の止着体３と、この作業用穴部２の左右のコンクリート基礎１表面に止着固定した各止着体３間に架設状態にして着脱自在に固定する架設体４とから成り、前記各止着体３と前記架設体４とは夫々断面コ字板状に構成し、この断面コ字板状の止着体３に断面コ字板状の架設体４を重合状態で固定し得るように構成した基礎補強金具。【選択図】図２
2008297825.tif 000002
【特許請求の範囲】
【請求項１】
建築物の床下工事を行うためにコンクリート基礎に設けられた作業用穴部を補強するための基礎補強金具であって、前記作業用穴部の左右の前記コンクリート基礎表面に止着固定する左右一組の止着体と、この作業用穴部の左右のコンクリート基礎表面に止着固定した各止着体間に架設状態にして着脱自在に固定する架設体とから成り、前記各止着体と前記架設体とは夫々断面コ字板状に構成し、この断面コ字板状の止着体に断面コ字板状の架設体を重合状態で固定し得るように構成したことを特徴とする基礎補強金具。
【請求項２】
前記各止着体に、この各止着体を前記コンクリート基礎表面に止着固定する止着具を挿通するための止着孔を設けると共に、この止着孔と連通する挿通孔を前記架設体に設けて、この架設体を前記止着体に重合して連通させたこの挿通孔と止着孔とに前記止着具を挿通して前記コンクリート基礎に止着固定することにより、この止着体と架設体とを重合状態で固定し得るように構成したことを特徴とする請求項１記載の基礎補強金具。
【請求項３】
前記断面コ字板状の止着体は、前記コンクリート基礎表面に当接固定する固定板部の上下部に夫々略水平方向に向けて支持板部を突設した断面コ字板状に構成し、前記断面コ字板状の架設体は、中間板部の上下部に夫々前記支持板部に重合する重合板部を突設した断面コ字板状に構成して、この重合させた支持板部と重合板部とを固定具により固定することで架設体を止着体に固定する構成としたことを特徴とする請求項１，２のいずれか1項に記載の基礎補強金具。
【請求項４】
前記支持板部に前記固定具を挿通する固定孔を設けると共に、前記重合板部に前記固定具を挿通する挿入孔を設けて、支持板部と重合板部とを重合して連通させたこの固定孔と挿入孔とに固定具を挿通固定することで，前記架設体を前記止着体に固定し得るように構成したことを特徴とする請求項３記載の基礎補強金具。
【請求項５】
前記架設体の上下幅寸法を、前記止着体の上下幅寸法より小さい若しくは大きい幅寸法に設定構成して、架設体を止着体に嵌入状態若しくは被嵌状態で重合し得るように構成したことを特徴とする請求項１〜４のいずれか１項に記載の基礎補強金具。
【発明の詳細な説明】
【技術分野】
【０００１】
本発明は、床下工事用に作業用穴部が設けられたコンクリート基礎を補強するための基礎補強金具に関するものである。
【背景技術】
【０００２】
木造建築物の床下工事、例えば白蟻駆除工事やガスや水道の配管工事、電気配線工事などにおいては、コンクリート基礎で囲まれた箇所を作業者が移動したり、これらの箇所を通して配管、配線するなどの各種工事を行うが、作業者の移動や配管、配線の際にはコンクリート基礎が邪魔になるので、コンクリート基礎の一部をドリルなどを利用して破損して人が出入りできる程度の大きさや、配管や配線できる程度の貫通穴部を形成する。
【０００３】
しかし、このような貫通穴部をコンクリート基礎に形成した場合、この穴部箇所においては強度が低下するため、床下工事の途中や終了後にこの穴部箇所の強度を復帰させる必要があるが、床下の狭い箇所での復帰工事となるので、破損箇所にコンクリートを充填するなどのコンクリート工事を行いにくいという問題がある。
【０００４】
また、最近は、上記したような床下工事が後々行われる場合を考慮して、新築時からコンクリート基礎に貫通穴部を形成しておく（貫通穴部を有する形状にコンクリート基礎を成形する）建築物もあるが、このような建築物にあってもコンクリート基礎の穴部個所の強度低下が懸念されるために、床下工事が行われるまでの期間や、床下工事の途中や終了後に穴部個所を補強しておきたい。
【０００５】
このような問題や要望に応える一手段として、従来、特開２００４−２９３２８７号（特許文献１）が提案されている。
【０００６】
この特許文献１を簡単に説明すると、コンクリート基礎に形成した通路（貫通穴部）の左右位置に当接する第一の当て部を両端部に備え、この両端部の第一の当て部間に、コンクリート基礎上に載置された土台の側面に当接する第二の当て部を備えた構成の補強金具を使用し、前記通路の左右の前記コンクリート基礎箇所にそれぞれ第一の当て部を止着固定すると共に、この左右の第一の当て部間の第二の当て部を前記土台の側面に連結固定することで、この補強金具を介してコンクリート基礎と土台とを一体化し、通路部分（コンクリート基礎）の補強を図るというものである。
【０００７】
【特許文献１】特開２００４−２９３２８７号公報
【発明の開示】
【発明が解決しようとする課題】
【０００８】
本発明は、前記特許文献１とは異なり、コンクリート基礎上の土台まで固定せずとも簡単に施工できてコンクリート基礎を強固に補強できると共に、補強金具施工後に作業用穴部を利用したい際には、この作業用穴部を塞ぐように配される架設体を取り外すことも容易に可能となる画期的な基礎補強金具を提供するものである。
【課題を解決するための手段】
【０００９】
添付図面を参照して本発明の要旨を説明する。
【００１０】
建築物の床下工事を行うためにコンクリート基礎１に設けられた作業用穴部２を補強するための基礎補強金具であって、前記作業用穴部２の左右の前記コンクリート基礎１表面に止着固定する左右一組の止着体３と、この作業用穴部２の左右のコンクリート基礎１表面に止着固定した各止着体３間に架設状態にして着脱自在に固定する架設体４とから成り、前記各止着体３と前記架設体４とは夫々断面コ字板状に構成し、この断面コ字板状の止着体３に断面コ字板状の架設体４を重合状態で固定し得るように構成したことを特徴とする基礎補強金具に係るものである。
【００１１】
また、前記各止着体３に、この各止着体３を前記コンクリート基礎１表面に止着固定する止着具７を挿通するための止着孔５を設けると共に、この止着孔５と連通する挿通孔６を前記架設体４に設けて、この架設体４を前記止着体３に重合して連通させたこの挿通孔６と止着孔５とに前記止着具７を挿通して前記コンクリート基礎１に止着固定することにより、この止着体３と架設体４とを重合状態で固定し得るように構成したことを特徴とする請求項１記載の基礎補強金具に係るものである。
【００１２】
また、前記断面コ字板状の止着体３は、前記コンクリート基礎１表面に当接固定する固定板部３Ａの上下部に夫々略水平方向に向けて支持板部３Ｂを突設した断面コ字板状に構成し、前記断面コ字板状の架設体４は、中間板部４Ａの上下部に夫々前記支持板部３Ｂに重合する重合板部４Ｂを突設した断面コ字板状に構成して、この重合させた支持板部３Ｂと重合板部４Ｂとを固定具８により固定することで架設体４を止着体３に固定する構成としたことを特徴とする請求項１，２のいずれか1項に記載の基礎補強金具に係るものである。
【００１３】
また、前記支持板部３Ｂに前記固定具８を挿通する固定孔９を設けると共に、前記重合板部４Ｂに前記固定具８を挿通する挿入孔10を設けて、支持板部３Ｂと重合板部４Ｂとを重合して連通させたこの固定孔９と挿入孔10とに固定具８を挿通固定することで，前記架設体４を前記止着体３に固定し得るように構成したことを特徴とする請求項３記載の基礎補強金具に係るものである。
【００１４】
また、前記架設体４の上下幅寸法を、前記止着体３の上下幅寸法より小さい若しくは大きい幅寸法に設定構成して、架設体４を止着体３に嵌入状態若しくは被嵌状態で重合し得るように構成したことを特徴とする請求項１〜４のいずれか１項に記載の基礎補強金具に係るものである。
【発明の効果】
【００１５】
本発明は上述のように構成したから、コンクリート基礎に設けられた床下工事用の作業用穴部の左右の箇所に止着体を止着固定すると共にこの左右の止着体間に架設体を固定するだけで施工できるし、断面コ字板状で非常に強度が高い止着体と架設体とから成る本補強金具によってコンクリート基礎の作業用穴部における強度の低下を良好に防ぐことができ、しかも、作業用穴部の左右のコンクリート基礎表面に固定する止着体とこの左右の止着体間に架設する架設体とを別部品としたため、左右幅の異なる様々な大きさの作業用穴部に対しても、この左右幅に応じて止着体への架設体の固定位置を変更したり、架設体の長さを変更することだけで容易に対応可能であると共に、止着体に対して架設体は着脱自在であるため、作業用穴部を遮るようにして固定されるこの架設体を、必要に応じ止着体より外して作業用穴部を通路や配管，配線路として使用することができるので、非常に利便性が高く、その上、本発明の止着体と架設体とは、例えば金属性のチャンネル材などを採用して容易に構成可能であるので、量産性に秀れ簡易に設計実現可能であるなど、極めて実用性に秀れた画期的な基礎補強金具となる。
【００１６】
また、請求項２，３記載の発明においては、止着体と架設体とを重合状態で固定する構成を簡易に設計実現可能である。また、特に請求項２記載の発明においては、止着体を止着具によりコンクリート基礎に固定することと同時に架設体も固定できるので、施工作業性に秀れ、一層実用性に秀れた構成の基礎補強金具となる。
【００１７】
また、請求項４記載の発明においては、止着体と架設体との固定構造を簡易に設計実現可能となる一層実用性に秀れた構成の基礎補強金具を実現できる。
【００１８】
また、請求項５記載の発明においては、止着体に架設体を固定する際に、止着体に対して架設体を嵌入若しくは被嵌して容易に仮止め状態とすることができるので、この仮止め状態で簡単に架設体を止着体に固定することができる一層施工作業性に秀れ、実用性に秀れた構成の基礎補強金具となる。
【発明を実施するための最良の形態】
【００１９】
好適と考える本発明の実施形態（発明をどのように実施するか）を、図面に基づいて本発明の作用を示して簡単に説明する。
【００２０】
例えば、床下工事の途中や終了後に、コンクリート基礎１の一部を破損して形成した作業用穴部２の左右の前記コンクリート基礎１表面に、左右一組の止着体３を夫々止着固定し、この左右の止着体３間に架設状態にして架設体４を固定する。
【００２１】
すると、作業用穴部２を左右方向に横断して本補強金具が固定されることで本補強金具が作業用穴部２を補強するように作用することになり、これによりこの作業用穴部２を形成したことによるコンクリート基礎１の強度低下を防ぐことができる。
【００２２】
また、新築時からコンクリート基礎１に作業用穴部２が形成されている建築物に対しても、同様にして作業用穴部２の左右の前記コンクリート基礎１表面に左右一組の止着体３を夫々止着固定し、この左右の止着体３間に架設状態にして架設体４を固定することで、この作業用穴部２箇所を補強することができる。
【００２３】
しかも、本発明は、止着体３も架設体４も断面コ字板状としているため、例えば単なる平板で構成されたような金具に比してこの止着体３，架設体４は強度が非常に高く、この強度の高い止着体３と架設体４とを重合状態で固定するため、双方の固定箇所（接合部分）の強度も高く、よってこの止着体３と架設体４とで成る本補強金具は極めて高い強度を発揮し、それ故秀れた前記作業用穴部２箇所の補強作用を発揮することになる。
【００２４】
従って、単にコンクリート基礎１に設けられた床下工事用の作業用穴部２の左右の箇所に止着体３を止着固定すると共にこの左右の止着体３間に架設体４を固定するだけの簡易な作業で施工が完了し、作業用穴部２箇所に対して極めて良好な補強作用が付与されることになる。
【００２５】
また、本発明では、一本の補強桟を作業用穴部２に架設状態に止着固定するような構成とせず、作業用穴部２の左右のコンクリート基礎１表面に固定する止着体３とこの左右の止着体３間に架設する架設体４とを別部品としたため、止着体３に対する架設体４の固定位置を変更したり、架設体４の長さを変更したりすることで現場や利用用途などによって大きさが異なる作業用穴部２の左右幅に容易に対応することができる。
【００２６】
また、止着体３と架設体４との固定構造について具体的に説明すると、例えば、前記各止着体３に、この各止着体３を前記コンクリート基礎１表面に止着固定する止着具７を挿通するための止着孔５を設けると共に、この止着孔５と連通する挿通孔６を前記架設体４に設けて、この架設体４を前記止着体３に重合して連通させたこの挿通孔６と止着孔５とに前記止着具７を挿通して前記コンクリート基礎１に止着固定することにより、この止着体３と架設体４とを重合状態で固定できる構成を採用することができる。このような固定構造を採用すると、この構造は簡易に設計実現可能な構造である上、止着体３を止着具７によりコンクリート基礎１に固定する際に、この止着具７により止着体３と共に架設体４も同時に固定できるので、施工作業性に秀れ、一層実用的となる。
【００２７】
一方、止着体３と架設体４とが双方共断面コ字板状であることを利用して、例えば、止着体３を、前記コンクリート基礎１表面に当接固定する固定板部３Ａの上下部に夫々略水平方向に向けて支持板部３Ｂを突設した断面コ字板状に構成し、前記架設体４を、中間板部４Ａの上下部に夫々前記支持板部３Ｂに重合する重合板部４Ｂを突設した断面コ字板状に構成して、この重合させた支持板部３Ｂと重合板部４Ｂとを固定具８により固定することで架設体４を止着体３に固定できる構造を採用することもできる。更に具体的には、例えば、前記支持板部３Ｂに前記固定具８を挿通する固定孔９を設けると共に、前記重合板部４Ｂに前記固定具８を挿通する挿入孔10を設けて、支持板部３Ｂと重合板部４Ｂとを重合して連通させたこの固定孔９と挿入孔10とに固定具８を挿通固定することで前記架設体４を前記止着体３に固定するような固定構造を簡易に設計実現可能である。
【００２８】
また、例えば、前記架設体４の上下幅寸法を、前記止着体３の上下幅寸法より小さい若しくは大きい幅寸法に設定構成して、架設体４を止着体３に嵌入状態若しくは被嵌状態で重合し得るように構成すれば、止着体３に架設体４を固定する際に、止着体３に対して架設体４を嵌入若しくは被嵌して容易に位置決め（仮止め）することができ、この仮止め状態で簡単に架設体４を止着体３に固定することができるので、一層施工作業性に秀れる。
【００２９】
また、施工完了後は、架設体４が作業用穴部２を遮るように固定されているが、必要に応じて架設体４を止着体３より外して作業用穴部２を通路や配管，配線路として使用することができるので、非常に利便性が高い。
【００３０】
また、本発明の止着体３，架設体４は、例えば金属製のチャンネル材を採用することで容易に構成可能であるため、本発明は簡易に且つコスト安に設計実現可能である。
【実施例１】
【００３１】
本発明の具体的な実施例１について図１〜図４に基づいて説明する。
【００３２】
本実施例は、図１，図２に示すような建築物のコンクリート基礎１に貫通形成される床下工事用の作業用穴部２の補強を行う基礎補強金具に関するものである。図中符号11は土台、12はコンクリート基礎１と土台の間に介存させる基礎パッキンである。
【００３３】
具体的には、本実施例の基礎補強金具は、前記作業用穴部２の左右の前記コンクリート基礎１表面に止着固定する左右一組の止着体３と、この作業用穴部２の左右のコンクリート基礎１表面に止着固定した各止着体３間に架設状態にして着脱自在に固定する架設体４とから成る構成としている。
【００３４】
本実施例の止着体３は、前記コンクリート基礎１表面に当接（面接）固定する固定板部３Ａの上下部に夫々略水平方向に向けて支持板部３Ｂを突設した断面コ字板状に構成して、この上下の支持板部３Ｂ間に前記架設体４を挟み込むように嵌入してこの架設体４を止着体３に固定し得るように構成している。
【００３５】
具体的には、金属製の方形板の両側縁を夫々略直角に折曲形成して断面コ字板状の止着体３を構成し、この止着体３の中間の板部を前記固定板部３Ａとし、この固定板部３Ａに対して直角に配設する両側の板部を前記支持板部３Ｂとしている。
【００３６】
また、この止着体３の固定板部３Ａには、図３に示すようにその長さ方向に間隔を置いた三箇所にこの固定板部３Ａをコンクリート基礎１表面に止着固定するための止着具７（本実施例では、図４に示すように先端部がネジ部に形成されてナット７Ａを螺着可能なコンクリート用の打ち込み式アンカー７を採用した場合を示している。）を挿通する止着孔５を設けている。
【００３７】
即ち、例えば、三箇所の止着孔５に位置を合わせて作業用穴部２の左右のコンクリート基礎１表面の三箇所にドリルなどで穴をあけてこの各穴に打ち込み式アンカー７を挿通固定し、この各打ち込み式アンカー７のボルト先端部を三箇所の止着孔５に挿通した上で打ち込み式アンカー７のボルト先端部にナット７Ａを螺着することで、止着体３をコンクリート基礎１に固定する構成としている。
【００３８】
本実施例の架設体４は、帯板の両側縁部を夫々略直角に折曲形成して断面コ字板状に構成し、この断面コ字板状の架設体４を前記各止着体３に重合状態で固定し得るように構成している。
【００３９】
また、この架設体４は、上下幅寸法を、前記各止着体３の上下の前記支持板部３Ｂ間の間隔幅寸法に略合致する幅寸法に設定構成して、この上下の支持板部３Ｂ間に架設体４を挟み込むようにして配設（嵌入）した際、上下の支持板部３Ｂによって架設体４が上下方向に位置決め状態となる構成としている。
【００４０】
具体的には、金属製の帯板の長さ方向と直交する両側縁（長手方向の両側縁）を夫々略直角に折曲形成して断面コ字板状の架設体４を構成し、この架設体４の中間板部４Ａに対して直角に配設する両側の板部を、前記各止着体３の上下の前記支持板部３Ｂに近接若しくは重合当接する重合板部４Ｂとしている。
【００４１】
また、本実施例では、架設体４の中間板部４Ａの両端部寄り位置に、前記各止着体３の固定板部３Ａに設けた止着孔５と連通する挿通孔６を設けて、架設体４の中間板部４Ａを前記固定板部３Ａに重合して連通させたこの挿通孔６と止着孔５とに前記止着具７を挿通して前記コンクリート基礎１に止着固定することにより、この止着体３と架設体４とを重合状態でコンクリート基礎１表面に固定する構成としている。
【００４２】
また、本実施例では、前記止着体３の支持板部３Ｂに固定孔９を設けると共に、前記架設体４の重合板部４Ｂに挿入孔10を設けて、架設体４の中間板部４Ａを固定板部３Ａに重合して挿通孔６と止着孔５とを連通させた際に重合する支持板部３Ｂと重合板部４Ｂのこの固定孔９と挿入孔10も連通するように構成し、この連通する固定孔９と挿入孔10とに固定具８として採用したボルト８Ａ・ナット８Ｂのこのボルト８Ａを挿通してナット８Ｂ止めすることで、架設体４を止着体３に強固に固定する構成としている。具体的には、止着体３の内側（作業用穴部２側）に位置する止着孔５と挿通孔６とを連通させた際に、固定孔９と挿入孔10とが連通するように構成している。
【００４３】
即ち、本実施例では、前記止着具７と固定具８とにより極めて強固に架設体４を止着体３に固定する構成としている。尚、本実施例の場合、この固定具８による固定構造はなくても良い。
【００４４】
このように構成した本実施例においては、固定具８を取り外すと共に止着具７に螺着したナット７Ａを取り外すことで、止着体３より架設体４を取り外すことができる。従って、施工完了後は、架設体４が作業用穴部２を横に遮るように固定されているが、施工後であっても必要に応じて架設体４を止着体３より外して作業用穴部２を床下工事の際の通路や配管，配線路として使用することができる構成としている。
【００４５】
また、本実施例では図示していないが、様々な左右幅の作業用穴部２に対応使用できるように、止着体３と架設体４との固定位置を左右横方向に変更し得る構成を採用しても良い。即ち、例えば、止着体３の長さ方向に沿って前記前記固定孔９を前記支持板部３Ｂに複数形成するか、若しくは架設体４の長さ方向に沿って前記挿入孔10を前記重合板部４Ｂに複数形成して、この複数の固定孔９若しくは複数の挿入孔10を選択して前記固定具８を挿通することにより、止着体３と架設体４との固定位置を左右横方向に変更し得るような構成を採用しても良い。尚、この構成を採用する場合、挿通孔６も複数形成する。
【００４６】
また、長さの異なる数種類の架設体４を用意することで、様々な左右幅の作業用穴部２に対応できるように構成しても良い。
【実施例２】
【００４７】
本発明の具体的な実施例２について図５〜図８に基づいて説明する。
【００４８】
本実施例は、前記実施例１において、架設体４の止着体３への固定手段が異なる。
【００４９】
具体的には、本実施例では、架設体４の向きを前記実施例１と前後逆向きにして固定している。
【００５０】
即ち、架設体４の中間板部４Ａを止着体３の固定板部３Ａに重合するのではなく、止着体３の各支持板部３Ｂの突出先端部間に架設体４の中間板部４Ａが配設するようにして架設体４を止着体３に配設（嵌入）し、前記固定具８だけを用いて架設体４を止着体３に固定した場合である。また、架設体４を止着体３から取り外す際には、固定具８だけを取り外せば良い。
【００５１】
尚、本実施例の架設体４は、中間板部４Ａに挿通孔６を形成していないものを図示している。
【００５２】
他の構成は、前記実施例１と同様である。
【００５３】
尚、本発明は、実施例１，２に限られるものではなく、各構成要件の具体的構成は適宜設計し得るものである。
【図面の簡単な説明】
【００５４】
【図１】実施例１の、作業用穴部の左右のコンクリート基礎表面に止着体を固定し、この各止着体間に架設体を架設状態に固定しようとする状態を示す説明斜視図である。
【図２】実施例１の使用状態を示す斜視図である。
【図３】実施例１の止着体と架設体との固定状態並びに分解状態を示す説明正面図である。
【図４】実施例１の使用状態における説明側断面図である。
【図５】実施例２の、作業用穴部の左右のコンクリート基礎表面に止着体を固定し、この各止着体間に架設体を架設状態に固定しようとする状態を示す説明斜視図である。
【図６】実施例２の使用状態を示す斜視図である。
【図７】実施例２の止着体と架設体との固定状態並びに分解状態を示す説明正面図である。
【図８】実施例２の使用状態における説明側断面図である。
【符号の説明】
【００５５】
１  コンクリート基礎
２  作業用穴部
３  止着体
３Ａ  固定板部
３Ｂ  支持板部
４  架設体
４Ａ  中間板部
４Ｂ  重合板部
５  止着孔
６  挿通孔
７  止着具
８  固定具
９  固定孔
10  挿入孔
【図１】
2008297825.tif 000003
【図２】
2008297825.tif 000004
【図３】
2008297825.tif 000005
【図４】
2008297825.tif 000006
【図５】
2008297825.tif 000007
【図６】
2008297825.tif 000008
【図７】
2008297825.tif 000009
【図８】
2008297825.tif 000010